(57)【要約】【課題】接続端子の変形を防止して信頼性を向上させる。【解決手段】ハウジング１、２は、内部の接続端子を浅く接続した仮結合位置と、十分に接続した本結合位置とに結合可能とする。ハウジング１の支持ピン１１の周囲に捻りコイルばね２４を配置し、回動レバー３を回動の初期位置に付勢する。回動レバー３のカム溝２３の底壁には、仮結合位置まで嵌合ピン１４によって押圧される斜面部２５と、仮結合位置で嵌合ピン１４を収容する凹部２６とを形成する。嵌合ピン１４は斜面部２５を摺動しながら回動レバー３を回動させ、凹部２６に整合したときに回動レバー３が捻りコイルばね２４の付勢力に従って回動の初期位置に戻り、嵌合ピン１４を凹部２６に導入してハウジング１、２を仮結合位置に保持する。【選択図】図１
2010157525.tif 000002
【特許請求の範囲】
【請求項１】
第１の接続端子を収容する第１のハウジングと、該第１のハウジングに回動自在に取り付けたカム溝を有する回動レバーと、前記カム溝に導入されて前記回動レバーにより駆動される嵌合ピンを備えると共に第２の接続端子を収容する第２のハウジングとから成り、前記第１、第２のハウジング同士を前記第１、第２の接続端子同士が浅く接続する仮結合位置に結合した後に、前記回動レバーを回動して前記接続端子同士が十分に接続する本結合位置に結合するレバー式コネクタにおいて、前記回動レバーには前記嵌合ピンを前記カム溝に案内する斜面部、前記嵌合ピンを受け入れ仮結合位置に前記嵌合ピンを保持するための凹部を順次に形成し、前記第１のハウジングと前記回動レバーとの間に前記回動レバーを回動の初期位置に付勢し前記斜面部、前記嵌合ピンを介して前記第２のハウジングを押し戻す大きさの付勢手段を設け、前記嵌合ピンが前記凹部に至らない状態で前記回動レバーを回動する力を解放すると、前記付勢手段の付勢力により前記第２のハウジングを前記第１のハウジングから押し戻すようにし、前記嵌合ピンが前記凹部に至った状態では、前記回動レバーは前記付勢手段の付勢力により前記嵌合ピンを前記凹部内に保持することを特徴とするレバー式コネクタ。
【請求項２】
前記付勢手段は、捻りコイルばね、引張コイルばね、圧縮コイルばね、板ばねの中から選ばれる１種であることを特徴とする請求項１に記載のレバー式コネクタ。
【請求項３】
前記嵌合ピンが前記凹部に至らない状態を接続端子の嵌合の不具合とすることを特徴とする請求項１又は２に記載のレバー式コネクタ。
【発明の詳細な説明】
【技術分野】
【０００１】
本発明は、比較的多数の接続端子をそれぞれ収容した一対のハウジングをレバーによって結合するレバー式コネクタに関するものである。
【背景技術】
【０００２】
従来のこの種のレバー式コネクタは、相互に嵌合可能な一対のハウジングを備え、一方のハウジングは電線を後部に接続した多数の例えば雌型の接続端子を収容し、他方のハウジングは電線を後部に接続して雌型の接続端子と接続し得る雄型の接続端子を収容している。また、一方のハウジングはカム溝を有する回動レバーを備え、他方のハウジングはカム溝に嵌合可能な嵌合ピンを備えている。
【０００３】
双方のハウジングを結合する際には、嵌合ピンをカム溝の入口部に導入するように双方のハウジングを緩く嵌合し、一対の仮係止突起によって仮結合位置に係止する。このとき、雄型の接続端子の先端部は雌型の接続端子の開口部に進入する。そして、回動レバーを大きく回動することにより、嵌合ピンをカム溝の壁面で駆動して双方のハウジングを本結合位置に駆動し、双方の接続端子を最終位置に接続する。
【発明の概要】
【発明が解決しようとする課題】
【０００４】
しかしながら上述のレバー式コネクタでは、仮係止突起が摩耗又は破損した場合に双方のハウジングを仮結合位置に保持することが不可能となるので、双方のハウジングが少しでも離間する方向に移動した際に、雄型の接続端子の先端部が雌型の接続端子の開口部から外れることがある。従って、回動レバーを回動した際に、雄型の接続端子の先端部が雌型の接続端子の開口部に進入しないで雌型の接続端子の周囲部に当接し、双方の接続端子を変形させて信頼性を損なうことがある。
【０００５】
本発明の目的は、上述の問題点を解消し、双方のハウジングを仮結合位置に保持した後に本結合位置に駆動し、双方のハウジングの接続端子が仮結合位置に至らない場合には、一方のハウジングを他方のハウジングから押し戻すことにより、接続端子の変形を防止し得るレバー式コネクタを提供することにある。
【課題を解決するための手段】
【０００６】
上記目的を達成するための本発明に係るレバー式コネクタは、第１の接続端子を収容する第１のハウジングと、該第１のハウジングに回動自在に取り付けたカム溝を有する回動レバーと、前記カム溝に導入されて前記回動レバーにより駆動される嵌合ピンを備えると共に第２の接続端子を収容する第２のハウジングとから成り、前記第１、第２のハウジング同士を前記第１、第２の接続端子同士が浅く接続する仮結合位置に結合した後に、前記回動レバーを回動して前記接続端子同士が十分に接続する本結合位置に結合するレバー式コネクタにおいて、前記回動レバーには前記嵌合ピンを前記カム溝に案内する斜面部、前記嵌合ピンを受け入れ仮結合位置に前記嵌合ピンを保持するための凹部を順次に形成し、前記第１のハウジングと前記回動レバーとの間に前記回動レバーを回動の初期位置に付勢し前記斜面部、前記嵌合ピンを介して前記第２のハウジングを押し戻す大きさの付勢手段を設け、前記嵌合ピンが前記凹部に至らない状態で前記回動レバーを回動する力を解放すると、前記付勢手段の付勢力により前記第２のハウジングを前記第１のハウジングから押し戻すようにし、前記嵌合ピンが前記凹部に至った状態では、前記回動レバーは前記付勢手段の付勢力により前記嵌合ピンを前記凹部内に保持することを特徴とする。
【発明の効果】
【０００７】
本発明に係るレバー式コネクタは、嵌合ピンを凹部に収容した後は、回動レバーを回動してハウジング同士を離間させない限り、接続端子同士の初期位置が外れることがない。また、嵌合ピンを凹部に収容した後に回動レバーを回動させてハウジング同士を本結合位置に結合する際に、双方の接続端子を変形させることがなく、信頼性を向上させることができる。
【０００８】
また、本発明に係るレバー式コネクタは、ハウジング同士を仮結合位置に結合しない場合に、回動レバーの付勢力によって第２のハウジングを第１のハウジングから排出するので、嵌合ピンを凹部に抱き込むことはなく、ハウジング同士を仮係合位置に保持することはない。
【図面の簡単な説明】
【０００９】
【図１】実施例の側面図である。
【図２】部分断面図である。
【図３】第１のハウジングの概略斜視図である。
【図４】作用説明図である。
【図５】作用説明図である。
【図６】作用説明図である。
【図７】作用説明図である。
【図８】作用説明図である。
【図９】作用説明図である。
【発明を実施するための形態】
【００１０】
本発明を図示の実施例に基づいて詳細に説明する。
図１は本発明に係るレバー式コネクタの実施例の側面図、図２は部分断面図であり、このレバー式コネクタは相互に嵌合可能な合成樹脂製の第１のハウジング１と第２のハウジング２を備えている。そして第１のハウジング１には、第１のハウジング１と第２のハウジング２を後述の仮結合位置に係止すると共に、第２のハウジング２を第１のハウジング１側に引き寄せるための合成樹脂製の回動レバー３を備えている。
【００１１】
第１のハウジング１の内部には、電線４を後部に接続した多数の雌型の接続端子５が収容され、第１のハウジング１と一体の係止アーム６によって第１のハウジング１から抜け出さないように係止されている。また第１のハウジング１の内部には、第２のハウジング２との嵌合部をシールするためのシール部材７が備えられている。更に第１のハウジング１の前部には、係止アーム６の接続端子５に対する係止力を補強するためのフロントホルダ８が装着されている。そして、第２のハウジング２の内部には、電線９を後部に接続して雌型の接続端子５と接続可能な雄型の接続端子１０が収容されている。
【００１２】
第１のハウジング１の両側面には、回動レバー３を回動自在に支持するための支持ピン１１が突設されていると共に、第２のハウジング２の後述の嵌合ピンを導き入れるストレート溝１２が形成されている。第２のハウジング２の外周面の前後の略中間にはフランジ１３が設けられ、第２のハウジング２の前部の両側面には、第１のハウジング１のストレート溝１２と回動レバー３の後述のカム溝とに嵌合可能な被駆動部である嵌合ピン１４が突設されている。
【００１３】
図３は第１のハウジング１の内部を省略した概略斜視図であり、回動レバー３は第１のハウジング１の支持ピン１１に回動自在に支持された左右のレバー本体部２１と、これらのレバー本体部２１を連結する連結部２２とからコ字状に形成されている。そして、レバー本体部２１には、第２のハウジング２の嵌合ピン１４を導入すると共に、その嵌合ピン１４を駆動して第２のハウジング２を第１のハウジング１側に引き寄せ、それらを本結合位置に駆動するための円弧状のカム溝２３が形成されている。
【００１４】
ここで、第１のハウジング１の支持ピン１１の周囲には、回動レバー３を回動の初期位置、即ち回動レバー３のカム溝２３の入口部を第２のハウジング２の嵌合ピン１４に整合させる位置に付勢する捻りコイルばね２４が配置されている。この捻りコイルばね２４の一端部は第１のハウジング１に連結され、捻りコイルばね２４の他端部は回動レバー３に連結されている。そして、捻りコイルばね２４の付勢力は、外力の加わらない嵌合ピン１４を押し戻し得る大きさとされている。
【００１５】
また、回動レバー３のカム溝２３の底壁には、雄型の接続端子１０の先端部１０ａが雌型の接続端子５の開口部５ａに少々進入した位置、つまり第１のハウジング１と第２のハウジング２が一次的に結合する仮結合位置まで第２のハウジング２の嵌合ピン１４によって押圧される斜面部２５と、仮結合位置で第２のハウジング２の嵌合ピン１４を受け入れる凹部２６とが、前方から順次に形成されている。
【００１６】
この際に、回動レバー３が捻りコイルばね２４の付勢力に従って回動の初期位置に位置しているとき、回動レバー３の斜面部２５は第１のハウジング１のストレート溝１２の下部に位置し、回動レバー３の凹部２６の底壁は第１のハウジング１のストレート溝１２の下壁と整合している。
【００１７】
第１のハウジング１と第２のハウジング２の結合に際して手で押してこれらを結合すると、図１に示すように第２のハウジング２の嵌合ピン１４が回動レバー３の斜面部２５に当接する。このとき、図２に示すように第２のハウジング２内の雄型の接続端子１０の先端部１０ａは、第１のハウジング１内の雌型の接続端子５の開口部５ａの前方に位置する。なお、回動レバー３が回動の初期位置に位置していない場合には、手で回動レバー３を回動の初期位置に回動することもできる。
【００１８】
次に、第２のハウジング２を第１のハウジング１に対して押し込むと、図４に示すように第２のハウジング２の嵌合ピン１４が回動レバー３の斜面部２５を押圧しながら摺動し、回動レバー３が反時計回り方向に回動する。回動レバー３が約７゜回動すると、図５に示すように第２のハウジング２の嵌合ピン１４が回動レバー３の凹部２６に整合する。これにより、回動レバー３は捻りコイルばね２４の弾発力によって回動の初期位置に戻り、嵌合ピン１４を凹部２６に導入し、第１のハウジング１と第２のハウジング２を仮結合位置に保持する。このとき、図６の部分拡大図に示すように、雄型の接続端子１０の先端部１０ａが雌型の接続端子５の開口部５ａに少々進入する。
【００１９】
そして、図７に示すように回動レバー３を同方向に手で９０゜程度回動させると、回動レバー３のカム溝２３の前壁が第２のハウジング２の嵌合ピン１４を駆動し、第２のハウジング２を第１のハウジング１側に引き寄せる。これにより、第１のハウジング１と第２のハウジング２が本結合位置に移動すると共に、雄型の接続端子１０と雌型の接続端子５が最終的に接続する。
【００２０】
なお、第１のハウジング１と第２のハウジング２を分離する場合には、回動レバー３を逆方向に回動し、第１のハウジング１と第２のハウジング２を図５に示す仮結合位置に戻す。そして、回動レバー３を図４に示す状態に回動させ、第１のハウジング１を第２のハウジングから抜き取る。
【００２１】
ここで、第１のハウジング１と第２のハウジング２を結合する際に、図８に示すように雄型の接続端子１０の先端部１０ａが雌型の接続端子５の開口部５ａに進入せず、例えばフロントホルダ８の前端面８ａに当接した場合には、第２のハウジング２の嵌合ピン１４の移動は回動レバー３の斜面部２５の途中で停止し、嵌合ピン１４が凹部２６に係合することはない。そして、第２のハウジング２に対する手による押圧力を解除すると、回動レバー３が捻りコイルばね２４の弾発力に従って回動の初期位置に戻り、図９に示すように第２のハウジング２を第１のハウジング１から矢印方向に排出する。
【００２２】
このように実施例では、第１のハウジング１と第２のハウジング２を仮結合位置に保持するための凹部２６をカム溝２３の途中に形成したので、接続端子５、１０の嵌合の不具合を確認することができ、ハウジング１、２を仮結合位置に係止しないで本結合位置に駆動することが不可能となり、雄型の接続端子１０の曲がりや雌型の接続端子５の開き等の変形を防止することができ、信頼性を向上させることができる。
【００２３】
また、雄型の接続端子１０の先端部１０ａを雌型の接続端子５の開口部５ａに嵌合できない場合には、回動レバー３が捻りコイルばね２４の弾発力に従って、第２のハウジング２を第１のハウジング１から排出するので、嵌合ピン１４を凹部２６に抱き込まず、ハウジング１、２を仮結合位置に保持することはない。
【００２４】
なお、上述の実施例では回動レバー３を捻りコイルばね２４によって付勢したが、捻りコイルばね２４に代わるその他の付勢手段、例えば引張コイルばね、圧縮コイルばね、板ばね等によって付勢することも可能である。
【００２５】
また、回動レバー３の凹部２６の入口の前部に嵌合ピン１４を凹部２６内に案内する図示しない案内面を設ければ、回動レバー３の復元力によって嵌合ピン１４を凹部２６内に導入することが可能となり、嵌合ピン１４を仮結合位置に移動させる作業が容易になる。
【符号の説明】
【００２６】
１、２  ハウジング
３  回動レバー
４、９  電線
５  雌型の接続端子
５ａ  開口部
１０  雄型の接続端子
１０ａ  先端部
１２  ストレート溝
１４  嵌合ピン
２３  カム溝
２４  捻りコイルばね
２５  斜面部
２６  凹部
【図１】
2010157525.tif 000003
【図２】
2010157525.tif 000004
【図３】
2010157525.tif 000005
【図４】
2010157525.tif 000006
【図５】
2010157525.tif 000007
【図６】
2010157525.tif 000008
【図７】
2010157525.tif 000009
【図８】
2010157525.tif 000010
【図９】
2010157525.tif 000011